(57)【特許請求の範囲】
【請求項１】
両端の停留場に上下二段に並設された滑車と、上側の前記滑車間に巻き掛けられて無端状に張架された上側索条と、下側の前記滑車間に巻き掛けられて無端状に張架された下側索条と、前記上側索条の循環経路上の対称位置で該索条に取り付けられた一台又は複数台の搬器グループと、前記下側索条の循環経路上の対称位置で該索条に取り付けられた一台又は複数台の搬器グループと、いずれかの前記停留場において上下の前記滑車をそれぞれ独立して回転駆動する原動装置と、を備えたことを特徴とするパルス循環式ゴンドラリフト。
【発明の詳細な説明】
【技術分野】
【０００１】
本発明は、循環する索条に搬器グループを間隔を開けて取り付けて運行を行うパルス循環式ゴンドラリフトに関する。
【背景技術】
【０００２】
パルス循環式ゴンドラリフトは、１台から４台程度の搬器を１グループとして、この搬器グループを一定の間隔を隔てて索条へ取り付け、人員や貨物の輸送を行う索道設備であり、一般的に以下のように構成されている。両端の停留場には、それぞれ滑車を枢設し、この滑車に索条を巻き掛けるとともに、この索条を無端状に循環させて線路を形成する。搬器は、１台又は複数台を１グループとし、複数台の場合は搬器どうしを互いに近接して索条に固着する。
【０００３】
索条の周回軌道上には、２組の搬器グループが線路上において対象となる位置、すなわち一方の搬器グループが停留場に位置するときに他方の搬器グループが他方の停留場に位置するように配置され、このような位置関係で複数の搬器グループが所定の間隔で配置される。以上の構成により、いずれの搬器グループも線路中に位置するときは高速で運転が行われ、いずれかの搬器グループが停留場に到着すると、速度を下げて低速で運転するか又は一時停止をして乗客の乗降が行われる。
【０００４】
上記のように、パルス循環式ゴンドラリフトにおいては、搬器は固定式の握索機により索条への取り付け位置が常時固定された構成が一般的であるが、これに代えて握放索可能な握索機を採用するとともに停留場に握索機が走行するレールを備え、停留場内では搬器が索条から切り離されて移動する構成も提案されている（例えば、特許文献１参照）。
【先行技術文献】
【特許文献】
【０００５】
【特許文献１】特開２００５−３２１６１４号公報
【発明の概要】
【発明が解決しようとする課題】
【０００６】
上記パルス循環式ゴンドラリフトの一般的な構成においては、索条への搬器の取付位置は固定されているので、いずれかの搬器グループが停留場へ到着し、低速運転や一時停止が行われると、線路中の搬器グループも同様に低速運転や一時停止することになる。このために、一の搬器グループが両停留場間を移動する時間が大きくなり、時間当たりの輸送人員が少なくなってしまうという短所があった。また、搬器が線路中で減速や停止をするために、搬器に乗車した乗客が不安を感じてしまうこともある。
【０００７】
また、特許文献１に記載された構成においては、停留場内に搬器ないし握索機が走行するためのレールを備えなくてはならず、停留場自体が大きくなってしまう。また、停留場内で搬器を回送するためには、コンベア装置等を設けなくてはならず、装置が大掛かりになってしまう。
【０００８】
本発明は、このような課題を解決するためになされたものであって、輸送力を増強し、かつ、乗客が搬器へ安全に乗降することのできるパルス循環式ゴンドラリフトを提供することを目的とする。
【課題を解決するための手段】
【０００９】
本発明のパルス循環式ゴンドラリフトは、両端の停留場に上下二段に並設された滑車と、上側の前記滑車間に巻き掛けられて無端状に張架された上側索条と、下側の前記滑車間に巻き掛けられて無端状に張架された下側索条と、前記上側索条の循環経路上の対称位置で該索条に取り付けられた一台又は複数台の搬器グループと、前記下側索条の循環経路上の対称位置で該索条に取り付けられた一台又は複数台の搬器グループと、いずれかの前記停留場において上下の前記滑車をそれぞれ独立して回転駆動する原動装置と、を備えたことを特徴としている。
【発明の効果】
【００１０】
本発明によれば、停留場に到着した搬器グループは停留場内を微速で移動するか、又は一時停止を行うので安全に乗客が搬器へ乗降でき、しかも、このときに線路中の搬器グループは、速度を低下させることなく運行されるので輸送力を増強することができる。
【図面の簡単な説明】
【００１１】
【図１】パルス循環式ゴンドラリフトの平面図
【図２】パルス循環式ゴンドラリフトの側面図
【図３】運行状態を示す説明図
【図４】運行状態を示す説明図
【図５】運行状態を示す説明図
【図６】運行状態を示す説明図
【発明を実施するための形態】
【００１２】
以下、本発明の具体的な実施の形態を図面を参照して説明する。図１及び図２は、パルス循環式ゴンドラリフトの概略を示す平面図及び側面図である。山麓側停留場１０と山頂側停留場１１とには、それぞれ二枚の滑車１２ａ、１２ｂ及び１３ａ、１３ｂが上下二段に並設されており、各滑車１２ａ、１２ｂ、１３ａ、１３ｂは、それぞれ独立して回転自在になっている。それぞれの停留場１０、１１における上側の滑車１２ａ、１３ａ間には、一条の上側索条１４ａが無端状に巻き掛けられて張架されており、同様に下側の滑車１２ｂ、１３ｂにも一条の下側索条１４ｂが無端状に巻き掛けられて張架されている。各滑車１２ａ、１２ｂ、１３ａ、１３ｂの直径は全て同一であり、したがって、上側索条１４ａ及び下側索条１４ｂにより、同一の二本の線路が上下に平行して形成されている。
【００１３】
上側索条１４ａには、２台の搬器１５ａを１グループとする搬器グループＡと搬器グループＣの搬器群が取り付けられており、下側索条１４ｂには、２台の搬器１５ｂを１グループとする搬器グループＢと搬器グループＤの搬器群が取り付けられている。上側線路に配置される搬器グループＡと搬器グループＣとは、上側索条１４ａの循環経路上において対称となる位置、すなわち、搬器グループＡが山麓側停留場１０に位置するときに搬器グループＣが山頂側停留場１１に位置するように配置されている。同様に、下側線路に配置される搬器グループＢと搬器グループＤとの位置関係も、下側索条１４ｂの循環経路上において対称の位置関係となっている。そして、各搬器グループＡ、Ｂ、Ｃ、Ｄ間の間隔は、線路中において所定の間隔を有するように設けられている。
【００１４】
次に、上側線路に配置する搬器１５ａの懸垂機１７ａは、下側線路に配置する搬器１５ｂの懸垂機１７ｂよりも上下方向に長く形成されており、停留場１０、１１内においては、搬器１５ａ、１５ｂの客車１６の位置は同じ高さになるようにしている。そして、懸垂機１７ａ、１７ｂの上端部には、索条１４ａ、１４ｂを常時握索する固定式の握索機を備え、これにより各搬器１５ａ及び１５ｂは、対応する上側索条１４ａ及び下側索条１４ｂの定位置に固着されており、したがって、搬器グループＡと搬器グループＣとが連動して移動し、また、搬器グループＢと搬器グループＤとが連動して移動する。
【００１５】
山頂側停留場１１において滑車１３ａの上方には、減速機や電動機等からなる原動装置１８ａを備えており、これによって滑車１３ａが回転駆動される。一方、滑車１３ｂの下方には、床下に地下室が形成されており、この内部に原動装置１８ｂを備えるとともに原動装置１８ｂと滑車１３ｂとがシャフト１９により連結されて滑車１３ｂが回転駆動される。原動装置１８ａと原動装置１８ｂとは、同一の制御装置に接続されており、これによって原動装置１８ａ、１８ｂないし滑車１３ａ、１３ｂの動きが電気的に制御される。すなわち、滑車１３ａ、１３ｂは、それぞれ独立して駆動されて回転するものの、搬器グループＡ、Ｂ、Ｃ、Ｄの位置や速度等は、全体的に制御されるようにしている。
【００１６】
以上の構成により、次のようにして搬器１５ａ、１５ｂの運行が行われる。図１に示したように、全ての搬器１５ａ、１５ｂが線路中を移動する場合には、索条１４ａ、１４ｂを駆動する滑車１３ａ、１３ｂは同一の回転速度で駆動され、搬器グループＡ、Ｂ、Ｃ、Ｄは、所定の間隔を保持して高速（例えば、５ｍ／ｓ）で矢印Ｘ方向へ向けて移動する。次に、下側の線路に配置された搬器グループＢ、Ｄが各停留場１０、１１に近づくと、下側の滑車１３ｂの回転速度を除々に低下させ、下側索条１４ｂないし搬器グループＢ、Ｄの速度を減速させる。この後、搬器グループＢ及び搬器グループＤは停留場１０、１１内を微速（例えば、０．２ｍ／ｓ）で移動するか、又は一時停止を行って乗客の乗降を行う。このとき上側の滑車１３ａは回転速度を変えておらず、したがって、搬器グループＡ及び搬器グループＣは高速のまま線路中を進行する（図３参照）。
【００１７】
次いで、図４に示したように、搬器グループＢ及び搬器グループＤが滑車１２ｂ及び滑車１３ｂの外周を周回して出発側に進入すると、滑車１３ｂの回転速度を徐々に増加させ、下側索条１４ｂないし搬器グループＢ、Ｄの速度を加速させた後、一定の高速度に保たれて搬器グループＢ及び搬器グループＤが線路中を移動する。一方、上側の線路に配置された搬器グループＡ、Ｃが各停留場１０、１１に近づくと、上側の滑車１３ａの回転速度を除々に低下させ、上側索条１４ａないし搬器グループＡ、Ｃの速度を減速させる。この後、搬器グループＡ及び搬器グループＣは、同様に停留場１０、１１内を微速で移動するか、又は一時停止を行って乗客の乗降を行う。以降、同様の動作を上下の線路で繰り返し行って各搬器グループＡ、Ｂ、Ｃ、Ｄの運行が行われる。以上のように、各搬器グループＡ、Ｂ、Ｃ、Ｄは、停留場１０、１１において微速で移動又は一時停止を行い、線路中においては高速運転にて連続して移動する。
【００１８】
次に、運行を終了する場合には次のようにする。図５に示すように、下側の線路に配置された搬器グループＢ及び搬器グループＤは、各停留場１０、１１に到着した後に出発側へと周回して運行を停止する。続いて図６に示すように、上側の線路に配置された搬器グループＡ及び搬器グループＣは、引き続き運行を行って各停留場１０、１１に進行し、各停留場１０、１１到着後に到着側に停止して運行を終了する。このようにして運行を終了することにより、各搬器グループＡ、Ｂ、Ｃ、Ｄは、運行休止時に停留場内へ収容されているので、例えば強風時における搬器１５ａ、１５ｂへの悪影響を軽減することができ、また搬器１５ａ、１５ｂの保守等も停留場１０、１１内で同時に行うことができる。
【００１９】
以上の実施の態様においては、上下の線路上にそれぞれ二組の搬器グループを配置する構成であったが、例えば、全体の線路が長大であって、両端の停留場の中間位置にさらに停留場を設けるような場合には、上下の線路上にそれぞれ四組の搬器グループを配置する構成とすることもできる。
【符号の説明】
【００２０】
１０  山麓側停留場
１１  山頂側停留場
１２ａ  滑車
１２ｂ  滑車
１３ａ  滑車
１３ｂ  滑車  
１４ａ  上側索条
１４ｂ  下側索条
１５ａ  搬器
１５ｂ  搬器
１６  客車
１７ａ  懸垂機
１７ｂ  懸垂機
１８ａ  原動装置
１８ｂ  原動装置
１９  シャフト
Ａ  搬器グループ
Ｂ  搬器グループ
Ｃ  搬器グループ
Ｄ  搬器グループ
Ｘ  矢印
【図１】
0005780909.tif 000002
【図２】
0005780909.tif 000003
【図３】
0005780909.tif 000004
【図４】
0005780909.tif 000005
【図５】
0005780909.tif 000006
【図６】
0005780909.tif 000007